(57)【特許請求の範囲】
【請求項１】
上方に開口した開口部を有する合成樹脂製の容器本体と、
前記開口部の左側部分を開閉するように前記容器本体に回転自在に連結された合成樹脂製の左側の蓋と、
前記開口部の右側部分を開閉するように前記容器本体に回転自在に連結された合成樹脂製の右側の蓋と、を備え、
前記左側の蓋は、左側凸部と左側孔部を有する左側オーバーラップ部を、先端に備え、
前記右側の蓋は、右側凸部と右側孔部を有する右側オーバーラップ部を、先端に備え、
前記左側の蓋と前記右側の蓋で前記開口部が閉じられ、かつ、前記左側オーバーラップ部の上に前記右側オーバーラップ部が重なって位置する第１の場合では、前記左側オーバーラップ部の前記左側孔部に対して前記右側オーバーラップ部の右側凸部が上方から嵌り込み、かつ前記右側オーバーラップ部の前記右側孔部の下方に前記左側オーバーラップ部の前記左側凸部が位置し、
前記左側の蓋と前記右側の蓋で前記開口部が閉じられ、かつ、前記右側オーバーラップ部の上に前記左側オーバーラップ部が重なって位置する第２の場合では、前記右側オーバーラップ部の前記右側孔部に対して前記左側オーバーラップ部の左側凸部が上方から嵌り込み、かつ前記左側オーバーラップ部の前記左側孔部の下方に前記右側オーバーラップ部の前記右側凸部が位置するように構成された、
蓋付き運搬用容器。
【請求項２】
上方に開口した開口部を有する容器本体と、
前記開口部の左側部分を開閉するように前記容器本体に回転自在に連結された左側の蓋と、
前記開口部の右側部分を開閉するように前記容器本体に回転自在に連結された右側の蓋と、を備え、
前記左側の蓋は、左側凸部と左側孔部を有する左側オーバーラップ部を、先端に備え、
前記右側の蓋は、右側凸部と右側孔部を有する右側オーバーラップ部を、先端に備え、
前記左側の蓋と前記右側の蓋で前記開口部が閉じられ、かつ、前記左側オーバーラップ部の上に前記右側オーバーラップ部が重なって位置するときに、前記左側オーバーラップ部の前記左側孔部に対して前記右側オーバーラップ部の右側凸部が上方から嵌り込み、
前記左側の蓋と前記右側の蓋で前記開口部が閉じられ、かつ、前記右側オーバーラップ部の上に前記左側オーバーラップ部が重なって位置するときに、前記右側オーバーラップ部の前記右側孔部に対して前記左側オーバーラップ部の左側凸部が上方から嵌り込むように構成され、
前記左側オーバーラップ部には、前記左側オーバーラップ部の他の部分よりも厚みが薄い左側先端部を、前記左側凸部よりも、前記容器本体との連結側とは反対である先端側の位置に設け、
前記右側オーバーラップ部には、前記右側オーバーラップ部の他の部分よりも厚みが薄い右側先端部を、前記右側凸部よりも、前記容器本体との連結側とは反対である先端側の位置に設けた、
蓋付き運搬用容器。
【請求項３】
上方に開口した開口部を有する容器本体と、
前記開口部の左側部分を開閉するように前記容器本体に回転自在に連結された左側の蓋と、
前記開口部の右側部分を開閉するように前記容器本体に回転自在に連結された右側の蓋と、を備え、
前記左側の蓋は、左側凸部と左側孔部を有する左側オーバーラップ部を、先端に備え、
前記右側の蓋は、右側凸部と右側孔部を有する右側オーバーラップ部を、先端に備え、
前記左側の蓋と前記右側の蓋で前記開口部が閉じられ、かつ、前記左側オーバーラップ部の上に前記右側オーバーラップ部が重なって位置するときに、前記左側オーバーラップ部の前記左側孔部に対して前記右側オーバーラップ部の右側凸部が上方から嵌り込み、
前記左側の蓋と前記右側の蓋で前記開口部が閉じられ、かつ、前記右側オーバーラップ部の上に前記左側オーバーラップ部が重なって位置するときに、前記右側オーバーラップ部の前記右側孔部に対して前記左側オーバーラップ部の左側凸部が上方から嵌り込むように構成され、
前記左側オーバーラップ部には、側面視において湾曲した外形を設け、
前記右側オーバーラップ部には、前記左側オーバーラップ部と重なったときに、前記左側オーバーラップ部に沿うように側面視において湾曲した外形を設けた、
蓋付き運搬用容器。
【請求項４】
前記左側オーバーラップ部には、前記左側凸部を、前記左側孔部よりも、前記容器本体との連結側とは反対である先端側の位置に設け、
前記右側オーバーラップ部には、前記右側凸部を、前記右側孔部よりも、前記容器本体との連結側とは反対である先端側の位置に設けた、
請求項１〜３のいずれか一項に記載の蓋付き運搬用容器。
【発明の詳細な説明】
【技術分野】
【０００１】
本発明は、蓋付き運搬用容器に関する。
【背景技術】
【０００２】
特許文献１には、蓋付き折り畳みコンテナ（蓋付き運搬用容器）が記載されている。
【０００３】
この蓋付き折り畳みコンテナは、容器本体の口枠に、一対の蓋を回動可能に取り付けたものである。一対の蓋はそれぞれ、一側面に波形状を備えており、互いの波形状を噛み合わせることによって、一対の蓋で容器本体の開口部を塞ぐようになっている。
【先行技術文献】
【特許文献】
【０００４】
【特許文献１】特開２０００−１６８７７３号公報
【発明の概要】
【発明が解決しようとする課題】
【０００５】
上記した従来の蓋付き運搬用容器は、一対の蓋の互いの波形状を噛み合わせることで開口部を塞ぐ構造であるから、一対の蓋を同じタイミングで閉じる必要があり、開閉の操作性が悪い。一対の蓋を同じタイミングで閉じなかった場合には、一方の蓋の上に他方の蓋が乗り上げて大きな段差や隙間が生じ、外部からゴミ等が侵入しやすくなる。
【０００６】
本発明が解決しようとする課題は、一対の蓋によって開口部を閉じる際の操作性がよく、かつ、外部からのゴミ等の侵入を防止することのできる蓋付き運搬用容器を提案することにある。
【課題を解決するための手段】
【０００７】
本発明に係る第１の形態の蓋付き運搬用容器は、上方に開口した開口部を有する合成樹脂製の容器本体と、前記開口部の左側部分を開閉するように前記容器本体に回転自在に連結された合成樹脂製の左側の蓋と、前記開口部の右側部分を開閉するように前記容器本体に回転自在に連結された合成樹脂製の右側の蓋と、を備える。前記左側の蓋は、左側凸部と左側孔部を有する左側オーバーラップ部を、先端に備える。前記右側の蓋は、右側凸部と右側孔部を有する右側オーバーラップ部を、先端に備える。前記左側の蓋と前記右側の蓋で前記開口部が閉じられ、かつ、前記左側オーバーラップ部の上に前記右側オーバーラップ部が重なって位置する第１の場合では、前記左側オーバーラップ部の前記左側孔部に対して前記右側オーバーラップ部の右側凸部が上方から嵌り込み、かつ前記右側オーバーラップ部の前記右側孔部の下方に前記左側オーバーラップ部の前記左側凸部が位置し、前記左側の蓋と前記右側の蓋で前記開口部が閉じられ、かつ、前記右側オーバーラップ部の上に前記左側オーバーラップ部が重なって位置する第２の場合では、前記右側オーバーラップ部の前記右側孔部に対して前記左側オーバーラップ部の左側凸部が上方から嵌り込み、かつ前記左側オーバーラップ部の前記左側孔部の下方に前記右側オーバーラップ部の前記右側凸部が位置するように構成されている。
【０００８】
本発明に係る第２の形態の蓋付き運搬用容器は、上方に開口した開口部を有する容器本体と、前記開口部の左側部分を開閉するように前記容器本体に回転自在に連結された左側の蓋と、前記開口部の右側部分を開閉するように前記容器本体に回転自在に連結された右側の蓋と、を備える。前記左側の蓋は、左側凸部と左側孔部を有する左側オーバーラップ部を、先端に備える。前記右側の蓋は、右側凸部と右側孔部を有する右側オーバーラップ部を、先端に備える。前記左側の蓋と前記右側の蓋で前記開口部が閉じられ、かつ、前記左側オーバーラップ部の上に前記右側オーバーラップ部が重なって位置するときに、前記左側オーバーラップ部の前記左側孔部に対して前記右側オーバーラップ部の右側凸部が上方から嵌り込み、前記左側の蓋と前記右側の蓋で前記開口部が閉じられ、かつ、前記右側オーバーラップ部の上に前記左側オーバーラップ部が重なって位置するときに、前記右側オーバーラップ部の前記右側孔部に対して前記左側オーバーラップ部の左側凸部が上方から嵌り込むように構成されている。前記左側オーバーラップ部には、前記左側オーバーラップ部の他の部分よりも厚みが薄い左側先端部を、前記左側凸部よりも、前記容器本体との連結側とは反対である先端側の位置に設けている。前記右側オーバーラップ部には、前記右側オーバーラップ部の他の部分よりも厚みが薄い右側先端部を、前記右側凸部よりも、前記容器本体との連結側とは反対である先端側の位置に設けている。
【０００９】
本発明に係る第３の形態の蓋付き運搬用容器は、上方に開口した開口部を有する容器本体と、前記開口部の左側部分を開閉するように前記容器本体に回転自在に連結された左側の蓋と、前記開口部の右側部分を開閉するように前記容器本体に回転自在に連結された右側の蓋と、を備える。前記左側の蓋は、左側凸部と左側孔部を有する左側オーバーラップ部を、先端に備える。前記右側の蓋は、右側凸部と右側孔部を有する右側オーバーラップ部を、先端に備える。前記左側の蓋と前記右側の蓋で前記開口部が閉じられ、かつ、前記左側オーバーラップ部の上に前記右側オーバーラップ部が重なって位置するときに、前記左側オーバーラップ部の前記左側孔部に対して前記右側オーバーラップ部の右側凸部が上方から嵌り込み、前記左側の蓋と前記右側の蓋で前記開口部が閉じられ、かつ、前記右側オーバーラップ部の上に前記左側オーバーラップ部が重なって位置するときに、前記右側オーバーラップ部の前記右側孔部に対して前記左側オーバーラップ部の左側凸部が上方から嵌り込むように構成されている。前記左側オーバーラップ部には、側面視において湾曲した外形を設け、前記右側オーバーラップ部には、前記左側オーバーラップ部と重なったときに、前記左側オーバーラップ部に沿うように側面視において湾曲した外形を設けている。
【発明の効果】
【００１２】
本発明は、一対の蓋によって開口部を閉じる際の操作性がよく、かつ、外部からのゴミ等の侵入を防止することができるという効果を奏する。
【図面の簡単な説明】
【００１３】
【図１】実施形態１の蓋付き運搬用容器の斜視図である。
【図２】図１のＡ−Ａ線断面図である。
【図３】図１のＰ部拡大図である。
【図４】図１のＱ部拡大図である。
【図５】実施形態１の蓋付き運搬用容器の他の閉じ方をしたときの斜視図である。
【図６】図５のＢ−Ｂ線断面図である。
【図７】実施形態１の蓋付き運搬用容器の分解斜視図である。
【図８】図８Ａは、実施形態１の蓋付き運搬用容器が備える蓋の平面図であり、図８Ｂは、実施形態１の蓋付き運搬用容器が備える蓋の背面図である。
【図９】図９Ａは、図８のＣ−Ｃ線断面図であり、図９Ｂは、図９ＡのＲ部拡大図である。
【図１０】図１０Ａは、図８のＤ−Ｄ線断面図であり、図１０Ｂは、図８のＥ−Ｅ線断面図であり、図１０Ｃは、図８のＦ−Ｆ線断面図である。
【図１１】図１１Ａは、実施形態２の蓋付き運搬用容器の要部を示す斜視図であり、図１１Ｂは、図１１ＡのＧ−Ｇ線断面図である。
【発明を実施するための形態】
【００１４】
（実施形態１）
図１〜図１０には、実施形態１の蓋付き運搬用容器（以下、単に「運搬用容器」という。）が示されている。
【００１５】
図１〜図７に示されるように、本実施形態の運搬用容器は、上面に開口部を有する箱型の容器本体９と、容器本体９の上端縁部に回転自在に取付けられた一対の蓋５，５と、を備える。容器本体９と蓋５，５は、いずれも合成樹脂製である。
【００１６】
まず、容器本体９について説明する。
【００１７】
容器本体９は、容器本体９の下端縁部と底面を構成する矩形状の底壁１と、容器本体９の上端縁部を構成する矩形枠状の口枠２と、底壁１と口枠２の間において互いに対向して位置する一対の長辺側の側壁３，３と、底壁１と口枠２の間において互いに対向して位置する一対の短辺側の側壁４，４と、を備える（図１、図７等参照）。
【００１８】
口枠２は、一対の長辺部２１，２１と一対の短辺部２２，２２とで構成される。各長辺部２１は、一直線状に並んだ複数の口枠軸部２１１，２１１…を有する。各短辺部２２は、上方に突出した複数の突起部２２１，２２１を有する。
【００１９】
長辺側の各側壁３は、上側の側壁３１と、上側の側壁３１に対して回転自在に連結された下側の側壁３２とで構成される。上側の側壁３１が、口枠２の長辺部２１に対して回転自在に連結され、下側の側壁３２が底壁１の長辺側に回転自在に連結される。
【００２０】
容器本体９が折り畳まれる際に、長辺側の各側壁３は、上側の側壁３１と下側の側壁３２が略平行に至るまで内側に谷折りされる。
【００２１】
短辺側の各側壁４は、口枠２の短辺部２２に対して、回転自在に連結される。容器本体９が折り畳まれる際に、短辺側の各側壁４は、底壁１や口枠２と略平行に至るまで内側に折り畳まれる。短辺側の各側壁４は、図１等に示される組立状態において、底壁１と長辺側の側壁３，３に対して着脱自在に係止される。
【００２２】
本実施形態の容器本体９においては、長辺側の側壁３，３と短辺側の側壁４，４が上記のように折り畳まれることで、容器本体９全体が、底壁１と口枠２が接触または近接した位置に至るまで、コンパクトに折り畳まれる。
【００２３】
組立状態の容器本体９において、底壁１と側壁３，３と側壁４，４との間に、収納空間が形成される。
【００２４】
次に、一対の蓋５，５について説明する。
【００２５】
一対の蓋５，５は、容器本体９が備える口枠２に対して、それぞれ回転自在に取り付けられる。具体的には、口枠２が備える長辺部２１，２１に対して、蓋５，５が一対一に取り付けられる。
【００２６】
一対の蓋５，５は、容器本体９の開口部（口枠２に囲まれた開口）を開閉し、これにより収納空間を外部空間に対して開閉する。
【００２７】
以下、各蓋５が容器本体９の開口部を閉じる姿勢を「閉姿勢」と称する。なお、ここでの開口部を閉じるとは、容器本体９の収納空間を厳密に密閉することを意味せず、収納空間にゴミ等が侵入しない程度に開口部が閉じられるものであればよい。
【００２８】
本実施形態の運搬用容器において、一対の蓋５，５は、互いに同一の構成を備える。
【００２９】
図８Ａや図８Ｂにも示されるように、蓋５の外形は、全体として矩形板状であり、一対の長辺側の端縁部５１，５１と、一対の短辺側の端縁部５２，５２と、これら端縁部５１，５１，５２，５２に囲まれる蓋本体部５３と、を一体に備える。
【００３０】
蓋５が備える一対の長辺側の端縁部５１，５１のうち一方には、連結部５４が形成されている。連結部５４は、口枠２の長辺部２１に対して回転自在に連結される部分である。蓋５が備える一対の長辺側の端縁部５１，５１のうち他方には、オーバーラップ部５５が形成されている。蓋５が備えるオーバーラップ部５５は、他の蓋５のオーバーラップ部５５に対して重なる部分である。
【００３１】
次に、各蓋５の構成について、更に詳しく説明する。
【００３２】
オーバーラップ部５５は、連結部５４とは反対側に位置する長板状の部分である。蓋５が容器本体９に回転自在に連結された状態において、連結部５４は蓋５の基端側に位置し、オーバーラップ部５５は蓋５の先端側に位置する。
【００３３】
オーバーラップ部５５には、オーバーラップ部５５の長手方向に沿って位置する突片状の凸部５５１と、同じくオーバーラップ部５５の長手方向に沿って位置する長孔状の孔部５５２を、それぞれ複数の部分に設けている。具体的には、オーバーラップ部５５の長手方向における中央部分とこれを挟む両端部分の三箇所に、凸部５５１と孔部５５２のセットをそれぞれ設けている（図８Ａ、図８Ｂ等参照）。
【００３４】
オーバーラップ部５５の前記三箇所に位置する凸部５５１と孔部５５２の各セットにおいて、凸部５５１は孔部５５２よりも蓋５の先端側（つまり、連結部５４が位置する側とは反対側）に位置する。凸部５５１は、オーバーラップ部５５の下面の一部から、下方に向けて突出する（図１０Ｂ参照）。孔部５５２は、オーバーラップ部５５を上下方向に貫通する（図１０Ｃ参照）。
【００３５】
なお、凸部５５１と孔部５５２の一つのセットの位置を、他のセットの位置よりも先端側に設けることも可能である。この場合、一つのセットに含まれる孔部５５２が、他のセットに含まれる凸部５５１よりも蓋５の先端側に位置することが有り得る。
【００３６】
本明細書で用いる上下方向等の各方向は、閉姿勢にあるときの蓋５（図１等参照）を基準とする。
【００３７】
オーバーラップ部５５の中央部分に位置する凸部５５１は、平面視において（上下方向から視たときに）、他の部分（両端部）に位置する各凸部５５１よりも大きな外形を有する。各凸部５５１の下方への突出量は、蓋５全体の厚みの範囲内に収まるように設けている。
【００３８】
同様に、オーバーラップ部５５の中央部分に位置する孔部５５２は、平面視において、他の部分（両端部）に位置する各孔部５５２よりも大きな開口形状を有する。
【００３９】
本実施形態のオーバーラップ部５５には、凸部５５１よりも先端側の位置に、他の部分よりも薄肉に設けた先端部５５３をさらに設けている。この先端部５５３が、オーバーラップ部５５の一直線状の先端部を構成する。
【００４０】
図９Ａ、図９Ｂ等に示されるように、オーバーラップ部５５の先端部５５３は、先端に近づくほど上方に位置するように斜めに傾いた下面を有することで、先端側ほど薄肉に形成されている。
【００４１】
また、図９Ａ、図９Ｂ等に示されるように、オーバーラップ部５５の全体的な形状は、側面視（オーバーラップ部５５の長手方向から視たとき）において、上方に膨らむように円弧状に湾曲した形状である。
【００４２】
なお、凸部５５１と孔部５５２が位置する部分は、本実施形態のような三箇所に限定されず、一箇所であることも有り得るし、三箇所以外の複数個所であることも有り得る。
【００４３】
次に、各蓋５が備える蓋本体部５３について説明する。
【００４４】
蓋本体部５３においてオーバーラップ部５５と隣接する部分（オーバーラップ部５５との境界部分）には、上方にむけて突出するようにリブ５６が形成されている。リブ５６は、オーバーラップ部５５の長手方向に沿って一直線状に位置する。
【００４５】
リブ５６は、三箇所の孔部５５２，５５２，５５２に隣接して位置し、蓋５の反りを抑えるとともに各孔部５５２を目立たなくする機能を有する。
【００４６】
また、蓋本体部５３のうちリブ５６よりも基端側（連結部５４に近い側）の位置には、下方に向けて凹んだ溝部５３１が形成されている。溝部５３１は、オーバーラップ部５５の長手方向に沿って一直線状に位置する。
【００４７】
蓋本体部５３のうち溝部５３１よりも基端側の位置には、全体が凹凸に湾曲した湾曲部５３２が位置し、湾曲部５３２の下面には、複数の補強リブ５８，５８…が形成されている（図８Ｂ参照）。これら複数の補強リブ５８，５８…を有する湾曲部５３２は、高い曲げ強度を発揮する。
【００４８】
複数の補強リブ５８，５８…は、オーバーラップ部５５の長手方向の半部側において互いに平行に位置する複数の補強リブ５８，５８…と、オーバーラップ部５５の長手方向の残り半部側において互いに平行に位置する複数の補強リブ５８，５８…とで構成される。半部側の補強リブ５８，５８…と、残り半部側の補強リブ５８，５８…とでは、傾斜方向が互いに異なる。
【００４９】
次に、各蓋５が備える短辺側の端縁部５２について説明する。
【００５０】
短辺側の各端縁部５２においてオーバーラップ部５５と接する部分（オーバーラップ部５５との境界部分）には、オーバーラップ部５５よりも一段高い段差５９が形成されている（図８Ａ、図１０Ａ等参照）。
【００５１】
また、短辺側の各端縁部５２には、貫通孔５２１が形成されている。貫通孔５２１は、蓋５が閉姿勢にあるときに、口枠２の各短辺部２２に設けた突起部２２１が一対一で嵌り込むように設けた孔である。
【００５２】
次に、各蓋５が備える連結部５４について説明する。
【００５３】
蓋５の連結部５４は、一直線状に並んだ複数の蓋軸部５４１，５４１…を有する。複数の蓋軸部５４１，５４１…は、口枠２が有する複数の口枠軸部２１１，２１１…に対して、回転自在に連結される部分である。
【００５４】
複数の蓋軸部５４１，５４１…と、複数の口枠軸部２１１，２１１…は、それぞれ上面が平坦に成形されており、蓋５が閉姿勢にあるとき、複数の蓋軸部５４１，５４１…と複数の口枠軸部２１１，２１１…は、互いの上面が略面一である（図１、図３等参照）。そのため、本実施形態の運搬用容器を用いれば、積み重ね作業において、スライドタッキングの作業が容易である。
【００５５】
なお、一直線状に並ぶ複数の蓋軸部５４１，５４１…のうち、両端に位置する各蓋軸部５４１には、さらに斜面５４１１を設けている。蓋軸部５４１が斜面５４１１を有することで、蓋軸部５４１とこれに隣接する口枠軸部２１１との間に、段差が生じ難くなっている。
【００５６】
一対の蓋５，５は、それぞれ上記した各構成を備える。
【００５７】
以下においては、一対の蓋５，５のうち左側の蓋５に符号５Ｌを付し、右側の蓋５に符号５Ｒを付す。
【００５８】
本明細書で用いる左方向は、図１等に矢印Ｄ１で示される方向であり、右方向は、図１等に矢印Ｄ２で示される方向である。図１等に示される矢印Ｄ３は奥側方向であり、矢印Ｄ４は手前方向である。
【００５９】
左側の蓋５Ｌが備える各構成には、蓋５について説明した各構成の名称の頭に「左側」を付加し、符号の末尾に「Ｌ」を付加する。
【００６０】
つまり、左側の蓋５Ｌは、二対の左側端縁部５１Ｌ，５１Ｌ，５２Ｌ，５２Ｌと、これらに囲まれる左側蓋本体部５３Ｌと、を一体に備える。各左側端縁部５２Ｌは、左側貫通孔５２１Ｌを有する。
【００６１】
左側端縁部５１Ｌ，５１Ｌのうち一方には、複数の左側蓋軸部５４１Ｌ，５４１Ｌ…を有する左側連結部５４Ｌが形成され、他方には左側オーバーラップ部５５Ｌが形成される。両端に位置する各左側蓋軸部５４１Ｌには、左側斜面５４１１Ｌが設けられる。左側オーバーラップ部５５Ｌには、複数の左側凸部５５１Ｌ，５５１Ｌ…と、複数の左側孔部５５２Ｌ，５５２Ｌ…と、左側先端部５５３Ｌを設けている。左側蓋本体部５３Ｌは、左側溝部５３１Ｌと左側湾曲部５３２Ｌに加えて、左側リブ５６Ｌと、複数の左側補強リブ５８Ｌ，５８Ｌ…と、両側の左側段差５９Ｌ，５９Ｌを有する。
【００６２】
同様に、右側の蓋５Ｒが備える各構成には、蓋５について説明した各構成の名称の頭に「右側」を付加し、符号の末尾に「Ｒ」を付加する。
【００６３】
つまり、右側の蓋５Ｒは、二対の右側端縁部５１Ｒ，５１Ｒ，５２Ｒ，５２Ｒと、これらに囲まれる右側蓋本体部５３Ｒと、を一体に備える。各右側端縁部５２Ｒは、右側貫通孔５２１Ｒを有する。
【００６４】
右側端縁部５１Ｒ，５１Ｒのうち一方には、複数の右側蓋軸部５４１Ｒ，５４１Ｒ…を有する右側連結部５４Ｒが形成され、他方には右側オーバーラップ部５５Ｒが形成される。両端に位置する各右側蓋軸部５４１Ｒには、右側斜面５４１１Ｒが設けられる。右側オーバーラップ部５５Ｒには、複数の右側凸部５５１Ｒ，５５１Ｒ…と、複数の右側孔部５５２Ｒ，５５２Ｒ…と、右側先端部５５３Ｒを設けている。右側蓋本体部５３Ｒは、右側溝部５３１Ｒと右側湾曲部５３２Ｒに加えて、右側リブ５６Ｒと、複数の右側補強リブ５８Ｒ，５８Ｒ…と、両側の右側段差５９Ｒ，５９Ｒを有する。
【００６５】
本実施形態の運搬用容器は、上記構成の左側の蓋５Ｌと右側の蓋５Ｒで容器本体９の開口部が開閉されるものであるから、上述した従来の蓋付き運搬用容器のように、タイミングを合わせて左側の蓋５Ｌと右側の蓋５Ｒが閉じられる必要がなく、操作性が高い。
【００６６】
つまり、左側の蓋５Ｌが閉じられた後に右側の蓋５Ｒが閉じられた場合であっても、右側の蓋５Ｒが閉じられた後に左側の蓋５Ｌが閉じられた場合であっても、左側の蓋５Ｌと右側の蓋５Ｒの間に大きな段差や隙間を生じることなく、容器本体９の開口部が閉じられる。そのため、容器本体９の収納空間に、外部からのゴミ等が侵入することが防止される。
【００６７】
図１〜図４には、左側の蓋５Ｌで容器本体９の開口部の左半部を閉じた後に、右側の蓋５Ｒで容器本体９の開口部の右半部を閉じた場合（以下「第１の場合」という。）が示されている。第１の場合では、ともに閉姿勢にある左側の蓋５Ｌと右側の蓋５Ｒで容器本体９の開口部が閉じられ、かつ、左側オーバーラップ部５５Ｌの上に右側オーバーラップ部５５Ｒが重なって位置する（図２参照）。
【００６８】
このとき、左側オーバーラップ部５５Ｌが有する各左側孔部５５２Ｌに対して、右側オーバーラップ部５５Ｒが有する各右側凸部５５１Ｒが、上方から一対一に嵌り込む。左側オーバーラップ部５５Ｌの各左側孔部５５２Ｌと、右側オーバーラップ部５５Ｒの各右側孔部５５２Ｒとは、上下に連通しない位置にある。
【００６９】
左側の蓋５Ｌや右側の蓋５Ｒに上方から荷重が掛かって撓んだときには、右側の蓋５Ｒの各右側凸部５５１Ｒが各左側孔部５５２Ｌの周縁に引っ掛かり、それ以上の変形が抑制される。これにより、左側の蓋５Ｌと右側の蓋５Ｒの隙間からゴミ等が侵入することが防止される。
【００７０】
特に、右側凸部５５１Ｒは、右側オーバーラップ部５５Ｒのうち先端側（容器本体９との連結側とは反対側）の部分に位置するので、左側の蓋５Ｌや右側の蓋５Ｒが余り大きく撓まない段階（左側の蓋５Ｌや右側の蓋５Ｒの下方への落ち込みが比較的小さな段階）で、右側凸部５５１Ｒが左側孔部５５２Ｌの周縁に引っ掛かりやすく、それ以上の変形が抑制される。
【００７１】
右側オーバーラップ部５５Ｒの中央部分に位置する右側凸部５５１Ｒは、他の部分の右側凸部５５１Ｒよりも大きな外形を有し、左側オーバーラップ部５５Ｌの中央部分に位置する左側孔部５５２Ｌは、他の部分の左側孔部５５２Ｌよりも大きな開口形状を有する。そのため、右側凸部５５１Ｒと左側孔部５５２Ｌの掛かり代は、中央部分が最も大きい。上方から荷重が掛かったときに、右側オーバーラップ部５５Ｒと左側オーバーラップ部５５Ｌは、互いの中央部分においてより確実に係止される。
【００７２】
また、本実施形態の運搬用容器では、左側の蓋５Ｌと右側の蓋５Ｒのうち一方に他方が乗り上げて大きな段差を生じることがないので、多段積みした際に、左側の蓋５Ｌや右側の蓋５Ｒに破損を生じることが防止される。これに対して、上述した従来の運搬用容器では、一方の蓋を閉じてから他方の蓋を閉じた場合には、他方の蓋が乗り上げて大きな段差を生じ、外部からゴミ等が侵入しやすくなるとともに、多段積みした際には蓋が破損しやすくなる。
【００７３】
図５、図６には、右側の蓋５Ｒで容器本体９の開口部の右半部を閉じた後に、左側の蓋５Ｌで容器本体９の開口部の左半部を閉じた場合（以下「第２の場合」という。）が示されている。この場合は、閉姿勢にある左側の蓋５Ｌと右側の蓋５Ｒで容器本体９の開口部が閉じられ、かつ、右側オーバーラップ部５５Ｒの上に左側オーバーラップ部５５Ｌが重なって位置する（図６参照）。
【００７４】
このとき、右側オーバーラップ部５５Ｒが有する各右側孔部５５２Ｒに対して、左側オーバーラップ部５５Ｌが有する各左側凸部５５１Ｌが、上方から一対一に嵌り込む。各左側孔部５５２Ｌと各右側孔部５５２Ｒとは、上下に連通しない位置にある。
【００７５】
左側の蓋５Ｌや右側の蓋５Ｒに上方から荷重が掛かって撓んだときには、左側の蓋５Ｌの各左側凸部５５１Ｌが各右側孔部５５２Ｒの周縁に引っ掛かり、それ以上の変形が抑制される。これにより、左側の蓋５Ｌと右側の蓋５Ｒの隙間からゴミ等が侵入することが防止される。
【００７６】
特に、左側凸部５５１Ｌは、左側オーバーラップ部５５Ｌのうち先端側（容器本体９との連結側とは反対側）の部分に位置するので、左側の蓋５Ｌや右側の蓋５Ｒが余り大きく撓まない段階（左側の蓋５Ｌや右側の蓋５Ｒの下方への落ち込みが比較的小さな段階）で、左側凸部５５１Ｌが右側孔部５５２Ｒの周縁に引っ掛かりやすく、それ以上の変形が抑制される。
【００７７】
左側オーバーラップ部５５Ｌの中央部分に位置する左側凸部５５１Ｌは、他の部分の左側凸部５５１Ｌよりも大きな外形を有し、右側オーバーラップ部５５Ｒの中央部分に位置する右側孔部５５２Ｒは、他の部分の右側孔部５５２Ｒよりも大きな開口形状を有する。そのため、左側凸部５５１Ｌと右側孔部５５２Ｒの掛かり代は、中央部分が最も大きい。上方から荷重が掛かったときに、左側オーバーラップ部５５Ｌと右側オーバーラップ部５５Ｒは、互いの中央部分においてより確実に係止される。
【００７８】
第１の場合と第２の場合のいずれにおいても、左側オーバーラップ部５５Ｌと右側オーバーラップ部５５Ｒは共に、上方に膨らむように円弧状に湾曲した形状で、互いに沿って位置する。
【００７９】
そのため、第１の場合と第２の場合のいずれにおいても、左側オーバーラップ部５５Ｌと右側オーバーラップ部５５Ｒが重なった部分において、高い曲げ強度が発揮される。加えて、左側オーバーラップ部５５Ｌと右側オーバーラップ部５５Ｒの間に大きな段差や隙間が生じにくく、左側の蓋５Ｌと右側の蓋５Ｒを共に閉じるときにも邪魔になりにくい。
【００８０】
また、第１の場合と第２の場合のいずれにおいても、左側の蓋５Ｌに左側段差５９Ｌ，５９Ｌを設け、右側の蓋５Ｒに右側段差５９Ｒ，５９Ｒを設けていることで、左側の蓋５Ｌと右側の蓋５Ｒの隙間からゴミ等が侵入することが、さらに防止される。
【００８１】
つまり、図１〜図４に示される第１の場合においては、左側の蓋５Ｌに荷重が掛かって下方に撓んだときに、両側の左側段差５９Ｌ，５９Ｌが右側オーバーラップ部５５Ｒの端縁に引っ掛かり、それ以上の変形が抑制される。これにより、左側の蓋５Ｌと右側の蓋５Ｒの間に大きな隙間が生じることが抑えられ、左側の蓋５Ｌの破損も防止される。
【００８２】
図５、図６に示される第２の場合においては、右側の蓋５Ｒに荷重が掛かって下方に撓んだときに、両側の右側段差５９Ｒ，５９Ｒが左側オーバーラップ部５５Ｌの端縁に引っ掛かり、それ以上の変形が抑制される。これにより、左側の蓋５Ｌと右側の蓋５Ｒに間に大きな隙間が生じることが抑えられ、右側の蓋５Ｒの破損も防止される。
【００８３】
また、第１の場合と第２の場合のいずれにおいても、左側オーバーラップ部５５Ｌに薄肉の左側先端部５５３Ｌを設け、右側オーバーラップ部５５Ｒに薄肉の右側先端部５５３Ｒを設けていることで、左側の蓋５Ｌと右側の蓋５Ｒの隙間からゴミ等が侵入することが、さらに防止される。
【００８４】
つまり、図１〜図４に示される第１の場合においては、右側オーバーラップ部５５Ｒの右側先端部５５３Ｒが左側孔部５５２Ｌの上方に位置することで、左側孔部５５２Ｌを通じてゴミ等が侵入することがさらに防止される（図２参照）。また、左側オーバーラップ部５５Ｌの左側先端部５５３Ｌが右側孔部５５２Ｒの下方に位置することで、右側孔部５５２Ｒを通じてゴミ等が侵入することもさらに防止される。
【００８５】
加えて、右側先端部５５３Ｒは先端側ほど薄肉に形成されているので、右側の蓋５Ｒに荷重が掛かって下方に撓むときに、この右側先端部５５３Ｒが先に左側の蓋５Ｌに引っ掛かるという事態が、抑えられる。右側先端部５５３Ｒが先に左側の蓋５Ｌに引っ掛かったときは、さらに荷重が掛かった際に、右側先端部５５３Ｒを支点として右側の蓋５Ｒ全体が下方に撓み、右側の蓋５Ｒの落ち込み量が大きくなりやすい。これに対して、右側先端部５５３Ｒよりも先に、右側凸部５５１Ｒが左側孔部５５２Ｌの周縁に引っ掛かれば、右側凸部５５１Ｒの内側の箇所（右側蓋本体部５３Ｒに近い側の箇所）を支点として右側の蓋５Ｒが下方に撓み、右側の蓋５Ｒの落ち込み量が抑えられる。
【００８６】
同様に、図５、図６に示される第２の場合においては、左側オーバーラップ部５５Ｌの左側先端部５５３Ｌが右側孔部５５２Ｒの上方に位置することで、右側孔部５５２Ｒを通じてゴミ等が侵入することがさらに防止される（図６参照）。また、右側オーバーラップ部５５Ｒの右側先端部５５３Ｒが左側孔部５５２Ｌの下方に位置することで、左側孔部５５２Ｌを通じてゴミ等が侵入することもさらに防止される。
【００８７】
加えて、左側先端部５５３Ｌは先端側ほど薄肉に形成されているので、左側の蓋５Ｌに荷重が掛かって下方に撓むときに、この左側先端部５５３Ｌが先に右側の蓋５Ｒに引っ掛かるという事態が、抑えられる。左側先端部５５３Ｌよりも先に、左側凸部５５１Ｌが右側孔部５５２Ｒの周縁に引っ掛かれば、さらに荷重が掛かった際に、左側凸部５５１Ｌの内側の箇所（左側蓋本体部５３Ｌに近い側の箇所）を支点として左側の蓋５Ｌが下方に撓むので、左側の蓋５Ｌの落ち込み量が抑えられる。
【００８８】
また、本実施形態の運搬用容器では、各左側凸部５５１Ｌの突出量が、左側の蓋５Ｌの全体の厚みの範囲内にある。同様に、各右側凸部５５１Ｒの突出量が、右側の蓋５Ｒの全体の厚みの範囲内にある。
【００８９】
そのため、容器本体９が折り畳まれ、かつ、左側の蓋５Ｌと右側の蓋５Ｒがともに閉じられた状態で、容器本体９の内側に折り畳まれた短辺側の側壁４に対して左側の蓋５Ｌの各左側凸部５５１Ｌが当たることや、容器本体９の内側に折り畳まれた短辺側の側壁４に対して右側の蓋５Ｒの各右側凸部５５１Ｒが当たることが、防止される。
【００９０】
なお、各左側凸部５５１Ｌの突出量が、左側の蓋５Ｌの全体の厚みを超える突出量であることや、各右側凸部５５１Ｒの突出量が、右側の蓋５Ｒの全体の厚みを超える突出量であることも、有り得る。
【００９１】
この場合、容器本体９が備える短辺側の側壁４に、左側の蓋５Ｌの各左側凸部５５１Ｌが収容され得る凹部を形成することで、容器本体９が折り畳まれたときに各左側凸部５５１Ｌに破損を生じることが抑えられる。同様に、容器本体９が備える短辺側の側壁４に、右側の蓋５Ｒの各右側凸部５５１Ｒが収容され得る凹部を形成することで、容器本体９が折り畳まれたときに各右側凸部５５１Ｒに破損を生じることが抑えられる。
【００９２】
また、実施形態１の運搬用容器においては、左側の蓋５Ｌと右側の蓋５Ｒは互いに同一の構成を備えるが、互いに異なる構成を備えることも有り得る。例えば、左側の蓋５Ｌと右側の蓋５Ｒとで、外形全体の寸法形状が異なることや、左側凸部５５１Ｌと右側凸部５５１Ｒとで寸法形状や配置が異なることや、左側孔部５５２Ｌと右側孔部５５２Ｒとで寸法形状や配置が異なることが有り得る。
【００９３】
（実施形態２）
図１１Ａ、図１１Ｂには、実施形態２の運搬用容器が示されている。
【００９４】
以下において、上述した実施形態１の運搬用容器と同様の構成については、同一符号を付して詳しい説明を省略し、実施形態１と異なる構成についてのみ説明する。
【００９５】
本実施形態の運搬用容器では、左側の蓋５Ｌと右側の蓋５Ｒの基本的な構成は同一であるが、左側オーバーラップ部５５Ｌと右側オーバーラップ部５５Ｒの形状は一部相違する。
【００９６】
左側オーバーラップ部５５Ｌは、側面視（左側オーバーラップ部５５Ｌの長手方向から視たとき）において波状に湾曲した形状を有する。右側オーバーラップ部５５Ｒは、左側オーバーラップ部５５Ｌと重なったときに、左側オーバーラップ部５５Ｌに沿うように側面視において波状に湾曲した形状を有する。
【００９７】
本実施形態においても、左側の蓋５Ｌが先に閉じられる場合と、右側の蓋５Ｒが先に閉じられる場合の両方において、外部からのゴミ等が容器本体９内に侵入することが防止される。
【００９８】
（変形例）
以下、上述した各実施形態の運搬用容器の、さらなる変形例について説明する。
【００９９】
左側の蓋５Ｌが備える各左側凸部５５１Ｌ、各左側孔部５５２Ｌの寸法形状や配置は、各実施形態で示されたものに限定されない。同様に、右側の蓋５Ｒが備える各右側凸部５５１Ｒ、各右側孔部５５２Ｒの寸法形状や配置は、各実施形態で示されたものに限定されない。
【０１００】
例えば、各左側凸部５５１Ｌは、左側オーバーラップ部５５Ｌのうち、容器本体９との連結側とは反対側の先端に設けられることが好ましいが、左側オーバーラップ部５５Ｌの該先端から１／３の範囲内のいずれかの箇所に設けられてもよいし、左側オーバーラップ部５５Ｌの該先端から１／２の範囲内のいずれかの箇所に設けられてもよい。
【０１０１】
同様に、各右側凸部５５１Ｒは、右側オーバーラップ部５５Ｒのうち、容器本体９との連結側とは反対側の先端に設けられることが好ましいが、右側オーバーラップ部５５Ｒの該先端から１／３の範囲内のいずれかの箇所に設けられてもよいし、右側オーバーラップ部５５Ｒの該先端から１／２の範囲内のいずれかの箇所に設けられてもよい。
【０１０２】
また、左側と右側の蓋５Ｌ，５Ｒで、凸部５５１と孔部５５２の数が相違することも有り得る。つまり、左側凸部５５１Ｌの数と右側凸部５５１Ｒの数が互いに相違し、左側孔部５５２Ｌと右側孔部５５２Ｒの数が互いに相違することも有り得る。この場合、左側と右側の蓋５Ｌ，５Ｒは互いに異形状となるが、左側凸部５５１Ｌは右側孔部５５２Ｒに対して一対一に嵌り込むことができ、また、右側凸部５５１Ｒは左側孔部５５２Ｌに対して一対一に嵌り込むことができる。
【０１０３】
また、左側と右側の蓋５Ｌ，５Ｒにおいて、複数の凸部５５１と複数の孔部５５２が、一列に並ぶことも有り得る。例えば、左側の蓋５Ｌにおいては、左側凸部５５１Ｌと左側孔部５５２Ｌが、左側オーバーラップ部５５Ｌの長手方向に沿って交互に並び、右側の蓋５Ｒにおいては、右側凸部５５１Ｒと右側孔部５５２Ｒが、右側オーバーラップ部５５Ｒの長手方向に沿って交互に並ぶことも有り得る。この場合、左側と右側の蓋５Ｌ，５Ｒは互いに同一形状となり、左側凸部５５１Ｌは右側孔部５５２Ｒに対して一対一に嵌り込むことができ、また、右側凸部５５１Ｒは左側孔部５５２Ｌに対して一対一に嵌り込むことができる。
【０１０４】
各実施形態の運搬用容器においては、各左側孔部５５２Ｌと各右側孔部５５２Ｒはいずれも貫通孔であるが、これらが非貫通の孔であることも有り得る。
【０１０５】
また、左側オーバーラップ部５５Ｌと右側オーバーラップ部５５Ｒが重なるときに両者５５Ｌ，５５Ｒの間に極力隙間が生じないように、左側オーバーラップ部５５Ｌや右側オーバーラップ部５５Ｒの上面にさらなる肉盛りを施すことも有り得る。
【０１０６】
また、左側の蓋５Ｌの左側リブ５６Ｌや、右側の蓋５Ｒの右側リブ５６Ｒを設けないことも有り得る。この場合、左側オーバーラップ部５５Ｌが右側オーバーラップ部５５Ｒの上に重なったときに極力段差が生じないように、左側オーバーラップ部５５Ｌの先端縁部に傾斜面を設けることや、右側オーバーラップ部５５Ｒが左側オーバーラップ部５５Ｌの上に重なったときに極力段差が生じないように、右側オーバーラップ部５５Ｒの先端縁部に傾斜面を設けることが好ましい。
【０１０７】
また、各実施形態の容器本体９は、折り畳み自在な構造を備えるが、折り畳まれない構造を備えることも有り得る。
【０１０８】
その他、各実施形態において適宜の設計変更を行うことや、各実施形態の構成を適宜組み合わせて適用することが可能である。
【０１０９】
以下においては、実施形態１，２の運搬用容器が奏する作用効果について、改めて説明する。
【０１１０】
添付図面に基づいて詳述したように、実施形態１，２の運搬用容器は、上方に開口した開口部を有する容器本体９と、前記開口部の左側部分を開閉するように容器本体９に回転自在に連結された左側の蓋５Ｌと、前記開口部の右側部分を開閉するように容器本体９に回転自在に連結された右側の蓋５Ｒと、を備える。
【０１１１】
左側の蓋５Ｌは、左側凸部５５１Ｌと左側孔部５５２Ｌを有する左側オーバーラップ部５５Ｌを、先端に備える。右側の蓋５Ｒは、右側凸部５５１Ｒと右側孔部５５２Ｒを有する右側オーバーラップ部５５Ｒを、先端に備える。
【０１１２】
そして、実施形態１，２の運搬用容器では、左側の蓋５Ｌと右側の蓋５Ｒで前記開口部が閉じられ、かつ、左側オーバーラップ部５５Ｌの上に右側オーバーラップ部５５Ｒが重なって位置するときに、左側オーバーラップ部５５Ｌの左側孔部５５２Ｌに対して右側オーバーラップ部５５Ｒの右側凸部５５１Ｒが上方から嵌り込む。また、左側の蓋５Ｌと右側の蓋５Ｒで前記開口部が閉じられ、かつ、右側オーバーラップ部５５Ｒの上に左側オーバーラップ部５５Ｌが重なって位置するときに、右側オーバーラップ部５５Ｒの右側孔部５５２Ｒに対して左側オーバーラップ部５５Ｌの左側凸部５５１Ｌが上方から嵌り込む。
【０１１３】
したがって、実施形態１，２の運搬用容器によれば、左側の蓋５Ｌと右側の蓋５Ｒが閉じられる際に、両者がタイミングを合わせて操作される必要がなく、左側の蓋５Ｌが閉じられた後で右側の蓋５Ｒが閉じられてもよいし、右側の蓋５Ｒが閉じられた後に左側の蓋５Ｌが閉じられてもよい。
【０１１４】
左側オーバーラップ部５５Ｌの上に右側オーバーラップ部５５Ｒが重なって位置するときには、左側の蓋５Ｌや右側の蓋５Ｒに上方から荷重が掛かってある程度撓んだ段階で、右側凸部５５１Ｒが左側孔部５５２Ｌの周縁に引っ掛かり、それ以上の変形が抑制される。右側オーバーラップ部５５Ｒの上に左側オーバーラップ部５５Ｌが重なって位置するときには、左側の蓋５Ｌや右側の蓋５Ｒに上方から荷重が掛かってある程度撓んだ段階で、左側凸部５５１Ｌが右側孔部５５２Ｒの周縁に引っ掛かり、それ以上の変形が抑制される。
【０１１５】
これにより、左側の蓋５Ｌと右側の蓋５Ｒの隙間からゴミ等が侵入することがより確実に防止されるとともに、左側の蓋５Ｌや右側の蓋５Ｒの破損が防止される。つまり、実施形態１，２の運搬用容器によれば、左側の蓋５Ｌと右側の蓋５Ｒによって容器本体９の開口部を閉じる際の操作性がよく、かつ、外部からゴミ等が侵入することが防止される。
【０１１６】
また、実施形態１，２の運搬用容器は、さらなる特徴部分として、下記の構成を具備する。
【０１１７】
つまり、実施形態１，２の運搬用容器において、左側オーバーラップ部５５Ｌには、左側凸部５５１Ｌを、左側孔部５５２Ｌよりも、容器本体９との連結側とは反対である先端側の位置に設けている。右側オーバーラップ部５５Ｒには、右側凸部５５１Ｒを、右側孔部５５２Ｒよりも、容器本体９との連結側とは反対である先端側の位置に設けている。
【０１１８】
したがって、実施形態１，２の運搬用容器によれば、例えば、左側オーバーラップ部５５Ｌの上に右側オーバーラップ部５５Ｒが重なって位置するときには、右側の蓋５Ｒの落ち込みが比較的小さな段階で、右側凸部５５１Ｒが左側孔部５５２Ｌの周縁に引っ掛かり、それ以上の変形が抑制される。同様に、右側オーバーラップ部５５Ｒの上に左側オーバーラップ部５５Ｌが重なって位置するときには、左側の蓋５Ｌの落ち込みが比較的小さな段階で、左側凸部５５１Ｌが右側孔部５５２Ｒの周縁に引っ掛かり、それ以上の変形が抑制される。
【０１１９】
これにより、左側の蓋５Ｌと右側の蓋５Ｒの隙間からゴミ等が侵入することがさらに確実に防止されるとともに、左側の蓋５Ｌや右側の蓋５Ｒの破損がさらに確実に防止される。
【０１２０】
また、実施形態１，２の運搬用容器は、さらなる特徴部分として、下記の構成を具備する。
【０１２１】
つまり、実施形態１，２の運搬用容器において、左側オーバーラップ部５５Ｌには、左側オーバーラップ部５５Ｌの他の部分よりも厚みが薄い左側先端部５５３Ｌを、左側凸部５５１Ｌよりも、容器本体９との連結側とは反対である先端側の位置に設けている。右側オーバーラップ部５５Ｒには、右側オーバーラップ部５５Ｒの他の部分よりも厚みが薄い右側先端部５５３Ｒを、右側凸部５５１Ｒよりも、容器本体９との連結側とは反対である先端側の位置に設けている。
【０１２２】
したがって、実施形態１，２の運搬用容器によれば、例えば、左側オーバーラップ部５５Ｌの上に右側オーバーラップ部５５Ｒが重なって位置するときには、右側オーバーラップ部５５Ｒの右側先端部５５３Ｒによって、左側オーバーラップ部５５Ｌの左側孔部５５２Ｌを通じてゴミ等が侵入することが、さらに確実に防止される。右側オーバーラップ部５５Ｒの上に左側オーバーラップ部５５Ｌが重なって位置するときには、左側オーバーラップ部５５Ｌの左側先端部５５３Ｌによって、右側オーバーラップ部５５Ｒの右側孔部５５２Ｒを通じてゴミ等が侵入することが、さらに確実に防止される。
【０１２３】
加えて、右側先端部５５３Ｒは薄肉であるから、右側の蓋５Ｒが下方に撓んだときに、右側先端部５５３Ｒが先に左側の蓋５Ｌに引っ掛かることが抑えられる。同様に、左側先端部５５３Ｌは薄肉であるから、左側の蓋５Ｌが下方に撓んだときに、左側先端部５５３Ｌが先に右側の蓋５Ｒに引っ掛かることが抑えられる。
【０１２４】
また、実施形態１，２の運搬用容器は、さらなる特徴部分として、下記の構成を具備する。
【０１２５】
つまり、実施形態１，２の運搬用容器において、左側オーバーラップ部５５Ｌには、側面視において湾曲した外形を設け、右側オーバーラップ部５５Ｒには、左側オーバーラップ部５５Ｌと重なったときに、左側オーバーラップ部５５Ｌに沿うように側面視において湾曲した外形を設けている。
【０１２６】
したがって、実施形態１，２の運搬用容器によれば、左側オーバーラップ部５５Ｌの上に右側オーバーラップ部５５Ｒが重なる場合と、右側オーバーラップ部５５Ｒの上に左側オーバーラップ部５５Ｌが重なる場合のいずれにおいても、左側オーバーラップ部５５Ｌと右側オーバーラップ部５５Ｒが重なった部分で曲げ強度が高められることに加えて、左側オーバーラップ部５５Ｌと右側オーバーラップ部５５Ｒの間に大きな段差や隙間が生じにくく、左側の蓋５Ｌと右側の蓋５Ｒを共に閉じるときにも邪魔になりにくい。
【符号の説明】
【０１２７】
５Ｌ      左側の蓋
５５Ｌ    左側オーバーラップ部
５５１Ｌ  左側凸部
５５２Ｌ  左側孔部
５５３Ｌ  左側先端部
５Ｒ      右側の蓋
５５Ｒ    右側オーバーラップ部
５５１Ｒ  右側凸部
５５２Ｒ  右側孔部
５５３Ｒ  右側先端部
９        容器本体
【図１】
0006600155.tif 000002
【図２】
0006600155.tif 000003
【図３】
0006600155.tif 000004
【図４】
0006600155.tif 000005
【図５】
0006600155.tif 000006
【図６】
0006600155.tif 000007
【図７】
0006600155.tif 000008
【図８】
0006600155.tif 000009
【図９】
0006600155.tif 000010
【図１０】
0006600155.tif 000011
【図１１】
0006600155.tif 000012